(57)【要約】【課題】電子機器などの外装として表出させることが可能なフリーストップ構造のヒンジ装置並びにこのヒンジ装置を用いた電子機器を提供すること。【解決手段】第二部材２に連結する第二連結部４に枢着軸５を設け、第一部材１に連結する第一連結部３に、枢着軸５を挿通させる軸通し穴７を備えた筒形の外装ケース部６を設け、この軸通し穴７に挿通した枢着軸５に抱き込み被嵌して回動抵抗を生じさせる軸抱込部８を軸通し穴７にスライド挿入して回り止め状態に設け、この軸通し穴７の、この軸通し穴７にスライド挿入した軸抱込部８のスライド方向の両側位置に、枢着軸５を回動自在に軸支する軸受部11を設ける。【選択図】図３
2011058607.tif 000002
【特許請求の範囲】
【請求項１】
第一部材と第二部材とを枢着するヒンジ装置であって、第一部材に連結する第一連結部若しくは第二部材に連結する第二連結部に枢着軸を設け、第二部材に連結する第二連結部若しくは第一部材に連結する第一連結部に、前記枢着軸を挿通させる軸通し穴を備えた筒形の外装ケース部を設け、この軸通し穴に挿通した前記枢着軸に抱き込み被嵌して回動抵抗を生じさせる軸抱込部を軸通し穴にスライド挿入すると共に、この軸通し穴に設けた取付用溝部に前記軸抱込部の基部に突設した取付部を嵌入することで軸通し穴に軸抱込部を回り止め状態に設け、この軸通し穴の、この軸通し穴にスライド挿入した軸抱込部のスライド方向の両側位置に、この軸抱込部が抱き込み被嵌した前記枢着軸を回動自在に軸支する軸受部を設けて、この両側の軸受部で外装ケース部に挿通した枢着軸を回動自在に軸支する構成としたことを特徴とするヒンジ装置。
【請求項２】
前記軸通し穴に、前記軸抱込部をスライド挿入するための挿入用穴部を設けると共に、この挿入用穴部に前記取付用溝部を設け、この挿入用穴部の、この挿入用穴部にスライド挿入した前記軸抱込部のスライド方向の両側位置に、前記軸受部を設けたことを特徴とする請求項１記載のヒンジ装置。
【請求項３】
前記挿入用穴部の一側端部に前記軸受部としての軸受孔を設け、この挿入用穴部にこの挿入用穴部の他側端部から前記軸抱込部をスライド挿入し、この軸抱込部が挿入された挿入用穴部の他側端部に、前記軸受部としての軸受孔を備えた軸受部材を止着して、この挿入用穴部の一側端部の軸受孔と他側端部の軸受孔とで前記外装ケース部に挿通した枢着軸を回動自在に軸支する構成としたことを特徴とする請求項２記載のヒンジ装置。
【請求項４】
前記軸受部材は、前記挿入用穴部の形状に略合致する形状に形成し、この軸受部材を挿入用穴部の他側端部に嵌入して前記外装ケース部にカシメ止めしたことを特徴とする請求項３記載のヒンジ装置。
【請求項５】
前記軸受部材に前記取付用溝部に嵌入する嵌入部を突設して、この嵌入部を取付用溝部に嵌入することにより軸受部材を前記挿入用穴部の他側端部に対して回り止め状態で嵌入し得るように構成すると共に、この取付用溝部に嵌入した嵌入部を前記外装ケース部にカシメ止めしたことを特徴とする請求項３，４のいずれか１項に記載のヒンジ装置。
【請求項６】
前記挿入用穴部の内側面に、前記軸通し穴の穴長さ方向に沿った長さを有する凹溝を一条形成して、この凹溝を前記取付用溝部としたことを特徴とする請求項３〜５のいずれか１項に記載のヒンジ装置。
【請求項７】
前記軸抱込部の取付部に、この取付部を前記取付用溝部に嵌入した際に取付用溝部の溝側壁面に対して当接若しくは近接するガタ止め突起を突設したことを特徴とする請求項１〜６のいずれか１項に記載のヒンジ装置。
【請求項８】
前記第一部材を操作部を有する本体部とし、前記第二部材をこの本体部に重合するディスプレイ部を有する開閉部とし、この本体部と開閉部とを重合した閉塞状態から伏面が露出する開放方向に起伏回動自在に枢着するヒンジ装置に前記請求項１〜７のいずれか１項に記載のヒンジ装置を用いた構成としたことを特徴とするヒンジ装置を用いた電子機器。
【発明の詳細な説明】
【技術分野】
【０００１】
本発明は、ノート型パソコンや折り畳み式携帯電話などの電子機器の軸部に用いるヒンジ装置並びにこのヒンジ装置を用いた電子機器に関するものである。
【背景技術】
【０００２】
例えば、ノート型パソコンは、操作部を有する本体部（第一部材）とディスプレイ部を有する開閉部（第二部材）とを、枢着軸と軸受部とを回動自在に枢着するが、使用に際してディスプレイ部が見易いように、起立した開閉部の角度を手で押し引きして微調整した際、この角度で停止保持（フリーストップ）されることが好ましい。
【０００３】
このフリーストップを実現するヒンジ装置としては、従来、例えば開閉部などの第二部材に連結する第二連結部に枢着軸を設け、本体部などの第一部材に連結する第一連結部に、前記枢着軸を回動自在に支持する軸受部を設けると共に、この枢着軸に抱き込み被嵌して回動抵抗を生じさせる断面Ｃ状の軸抱込部を回り止め状態に設けて、前記枢着軸を軸受部に支持することで、第一連結部に対して第二連結部を回動自在に設けると共に、この枢着軸に軸抱込部を抱き込み被嵌することで、軸抱込部の回動抵抗によって所謂フリーストップが実現でき、前述のように起立角度（開放角度）の微調整が簡単に行えることになる軸着構造としているものがある（例えば、特許文献１参照。）。
【０００４】
一方、従来、ヒンジ装置自体が電子機器などの外装としてそのまま外観上に表出するタイプも実施されている。
【０００５】
この外装タイプのヒンジ装置を簡単に説明すると、開閉部などの第二部材に連結する第二連結部に枢着軸を設け、本体部などの第一部材に連結する第一連結部に、前記枢着軸が挿通する軸通し穴を備えた筒形の外装ケース部を設けると共に、この外装ケース部の軸通し穴の一側端部に前記枢着軸を回動自在に支持する軸受部を設け、この軸通し穴に挿通した前記枢着軸に抱き込み被嵌して回動抵抗を生じさせる軸抱込部を軸通し穴の他側端部から軸通し穴にスライド挿入配設すると共に、この軸通し穴に設けた取付用溝部に前記軸抱込部の基部に突設した取付部を嵌入することで軸通し穴に軸抱込部を回り止め状態に設けた構造で、外装ケース部があることによりこの外装ケース部が電子機器などの外装として表出しても外観上の違和感がなく、また、フリーストップも実現できる構成である。
【先行技術文献】
【特許文献】
【０００６】
【特許文献１】特開２００６−２００６６２号公報
【発明の概要】
【発明が解決しようとする課題】
【０００７】
このような外装としても使用できるフリーストップ構造のヒンジ装置は、枢着軸を外装ケース部の軸通し穴の一側端部に設けた軸受部で回動自在に支持する構造であるが、この軸受部が外装ケース部の一側端部にしかなく、一箇所の軸受部による支持構造となっているため、枢着軸が外装ケース部に対して不安定な支持状態となり易く、ガタつきを生じ易いという問題があった。
【０００８】
また、枢着軸を抱き込み被嵌する軸抱込部は、外装ケース部の軸通し穴に対してスライド挿入し易いように、その外形状が軸通し穴の穴径寸法よりもやや小さい径寸法を有する形状に形成されていて、軸通し穴内でガタつくようになっている。
【０００９】
そのため、枢着軸が外装ケース部に対してガタついてしまうと、開閉部などの第二部材の開閉動作が安定しないばかりか、この枢着軸に抱き込み被嵌している軸抱込部も外装ケース部内で簡単にガタついてしまい、この軸抱込部のガタつきが原因で枢着軸への抱き込み状態（回動抵抗付与状態）が安定しなくなり、フリーストップ効果が安定して得られなくなってしまうこともあった。
【００１０】
本発明は、このような外装としても使用可能なフリーストップ構造の従来のヒンジ装置の問題点に注目し、これを解決しようとするもので、枢着軸も軸抱込部もガタつくことなく、安定したフリーストップ動作が発揮される画期的なヒンジ装置並びにこのヒンジ装置を用いた電子機器を提供するものである。
【課題を解決するための手段】
【００１１】
添付図面を参照して本発明の要旨を説明する。
【００１２】
第一部材１と第二部材２とを枢着するヒンジ装置Ｈであって、第一部材１に連結する第一連結部３若しくは第二部材２に連結する第二連結部４に枢着軸５を設け、第二部材２に連結する第二連結部４若しくは第一部材１に連結する第一連結部３に、前記枢着軸５を挿通させる軸通し穴７を備えた筒形の外装ケース部６を設け、この軸通し穴７に挿通した前記枢着軸５に抱き込み被嵌して回動抵抗を生じさせる軸抱込部８を軸通し穴７にスライド挿入すると共に、この軸通し穴７に設けた取付用溝部10に前記軸抱込部８の基部に突設した取付部９を嵌入することで軸通し穴７に軸抱込部８を回り止め状態に設け、この軸通し穴７の、この軸通し穴７にスライド挿入した軸抱込部８のスライド方向の両側位置に、この軸抱込部８が抱き込み被嵌した前記枢着軸５を回動自在に軸支する軸受部11を設けて、この両側の軸受部11で外装ケース部６に挿通した枢着軸５を回動自在に軸支する構成としたことを特徴とするヒンジ装置に係るものである。
【００１３】
また、前記軸通し穴７に、前記軸抱込部８をスライド挿入するための挿入用穴部７Ａを設けると共に、この挿入用穴部７Ａに前記取付用溝部10を設け、この挿入用穴部７Ａの、この挿入用穴部７Ａにスライド挿入した前記軸抱込部８のスライド方向の両側位置に、前記軸受部11を設けたことを特徴とする請求項１記載のヒンジ装置に係るものである。
【００１４】
また、前記挿入用穴部７Ａの一側端部に前記軸受部11としての軸受孔11Ａを設け、この挿入用穴部７Ａにこの挿入用穴部７Ａの他側端部から前記軸抱込部８をスライド挿入し、この軸抱込部８が挿入された挿入用穴部７Ａの他側端部に、前記軸受部11としての軸受孔11Ｂを備えた軸受部材12を止着して、この挿入用穴部７Ａの一側端部の軸受孔11Ａと他側端部の軸受孔11Ｂとで前記外装ケース部６に挿通した枢着軸５を回動自在に軸支する構成としたことを特徴とする請求項２記載のヒンジ装置に係るものである。
【００１５】
また、前記軸受部材12は、前記挿入用穴部７Ａの形状に略合致する形状に形成し、この軸受部材12を挿入用穴部７Ａの他側端部に嵌入して前記外装ケース部６にカシメ止めしたことを特徴とする請求項３記載のヒンジ装置に係るものである。
【００１６】
また、前記軸受部材12に前記取付用溝部10に嵌入する嵌入部13を突設して、この嵌入部13を取付用溝部10に嵌入することにより軸受部材12を前記挿入用穴部７Ａの他側端部に対して回り止め状態で嵌入し得るように構成すると共に、この取付用溝部10に嵌入した嵌入部13を前記外装ケース部６にカシメ止めしたことを特徴とする請求項３，４のいずれか１項に記載のヒンジ装置に係るものである。
【００１７】
また、前記挿入用穴部７Ａの内側面に、前記軸通し穴７の穴長さ方向に沿った長さを有する凹溝を一条形成して、この凹溝を前記取付用溝部10としたことを特徴とする請求項３〜５のいずれか１項に記載のヒンジ装置に係るものである。
【００１８】
また、前記軸抱込部８の取付部９に、この取付部９を前記取付用溝部10に嵌入した際に取付用溝部10の溝側壁面に対して当接若しくは近接するガタ止め突起14を突設したことを特徴とする請求項１〜６のいずれか１項に記載のヒンジ装置に係るものである。
【００１９】
また、前記第一部材１を操作部15を有する本体部１とし、前記第二部材２をこの本体部１に重合するディスプレイ部16を有する開閉部２とし、この本体部１と開閉部２とを重合した閉塞状態から伏面が露出する開放方向に起伏回動自在に枢着するヒンジ装置Ｈに前記請求項１〜７のいずれか１項に記載のヒンジ装置Ｈを用いた構成としたことを特徴とするヒンジ装置を用いた電子機器に係るものである。
【発明の効果】
【００２０】
本発明は上述のように構成したから、筒形の外装ケース部を、電子機器などの外装として表出させることが可能なフリーストップ構造のヒンジ装置にして、枢着軸も軸抱込部もガタつかずに安定したフリーストップ動作を確実に発揮することになる極めて実用性に優れたヒンジ装置となる。
【００２１】
また、請求項２記載の発明においては、前記作用・効果を確実に発揮する枢着軸の軸支構造を簡易に設計実現可能となる一層実用性に優れた構成のヒンジ装置となる。
【００２２】
また、請求項３記載の発明においては、軸抱込部のスライド方向の両側位置に軸受部を設ける構成を確実に実現可能となり、更に請求項４，５記載の発明においては、この構成を極めて容易に設計実現可能となるなど、一層実用性に優れた構成のヒンジ装置となる。
【００２３】
また、請求項６記載の発明においては、軸抱込部の取付部並びに軸受部材の嵌入部を嵌入する取付用溝部を簡易に設計実現可能となる一層実用性に優れた構成のヒンジ装置となる。
【００２４】
また、請求項７記載の発明においては、軸通し穴での軸抱込部のガタつきが極めて良好に防止される一層実用性に優れた構成のヒンジ装置となる。
【００２５】
また、請求項８記載の発明においては、前記作用・効果を発揮する極めて実用性に優れたヒンジ装置を用いた電子機器となる。
【図面の簡単な説明】
【００２６】
【図１】本実施例の使用状態を示す説明斜視図である。
【図２】本実施例を示す斜視図である。
【図３】本実施例の分解斜視図である。
【図４】本実施例を示す外装ケース部を切り欠いた説明正面図である。
【図５】本実施例を示す側面図である。
【図６】本実施例の軸抱込部並びに軸受部材を示す拡大斜視図である。
【図７】本実施例の軸抱込部の取付部を示す説明断面図である。
【図８】本実施例の外装ケース部の挿入用穴部に軸抱込部を挿入し枢着軸を抱き込み被嵌した状態を示す部分拡大説明側面図である。
【図９】本実施例の外装ケース部の部分拡大説明側面図である。
【図１０】図９のＡ−Ａ線断面図である。
【発明を実施するための形態】
【００２７】
好適と考える本発明の実施形態（発明をどのように実施するか）を、図面に基づいて本発明の作用を示して簡単に説明する。
【００２８】
本発明のヒンジ装置Ｈは、第二連結部４若しくは第一連結部３に設けた筒形の外装ケース部６を、例えば電子機器などの外装として表出させることが可能である。
【００２９】
また、本発明のヒンジ装置Ｈは、第一連結部３若しくは第二連結部４に設けた枢着軸５を、前記外装ケース部６の軸通し穴７の、この軸通し穴７にスライド挿入して回り止め状態に設けた軸抱込部８のスライド方向の両側位置に設けた軸受部11で回動自在に軸支している。
【００３０】
そのため、少なくとも二箇所の軸受部11で軸支された枢着軸５は、外装ケース部６（軸通し穴７）に対してガタつくことなく安定的に回動動作可能であり、よって第一部材１に対する第二部材２の安定した回動動作が行われることになる。
【００３１】
また、この際、枢着軸５に抱き込み被嵌する軸抱込部８が、枢着軸５に常に回動抵抗を付与して第一部材１に対する第二部材２のフリーストップを実現しているが、前記したように枢着軸５がガタつかずに安定した回動動作を行うことで、この枢着軸５に抱き込み被嵌する軸抱込部８も軸通し穴７でガタつかず、よってこの軸抱込部８による枢着軸５への回動抵抗が安定的に付与されて、極めて良好なフリーストップが実現することになる。
【実施例】
【００３２】
本発明の具体的な実施例について図面に基づいて説明する。
【００３３】
本実施例は、図１に示すようなノート型パソコン用であって、このノート型パソコンの外装として外観上に表出するタイプのヒンジ装置Ｈに適用した場合を示している。
【００３４】
具体的には、操作部15を備えた本体部１を第一部材１とし、ディスプレイ部16を備えた開閉部２を第二部材２とし、この本体部１と開閉部２とが重合した閉塞状態から伏面が露出する開放方向に開閉部を開放回動自在に枢着するヒンジ装置Ｈを備えている。
【００３５】
本実施例のヒンジ装置Ｈは、図２〜図４に示すように、前記第一部材１に連結する第一連結部３に、軸通し穴７を備えた筒形の外装ケース部６を設け、前記第二部材２に連結する第二連結部４に、前記軸通し穴７に挿通させる枢着軸５を設けている。
【００３６】
具体的には、第一連結部３は、金属ダイキャスト製とし、前記第一部材１に連結固定する第一固定部17に前記外装ケース部６を一体的に連設した構成とし、この外装ケース部６がノート型パソコンの外装として外観上に表出可能な構成としている。
【００３７】
また、第二連結部４は、前記第二部材２に連結固定する金属製の第二固定部18に、同じく金属製の前記枢着軸５を回り止め状態に連結して突設した構成としている。
【００３８】
また、本実施例では、第一連結部３の外装ケース部６の軸通し穴７に挿通した前記枢着軸５に抱き込み被嵌して回動抵抗を生じさせる軸抱込部８を軸通し穴７にスライド挿入すると共に、この軸通し穴７に設けた取付用溝部10に前記軸抱込部８の基部に突設した取付部９を嵌入することで軸通し穴７に軸抱込部８を回り止め状態に設けている。
【００３９】
具体的には、前記外装ケース部６は、その長さ方向の一側端部（図３，図４における右側端部）から中程にかけての軸通し穴７を、他の部位の軸通し穴７より径小な丸穴部に形成し、この径小丸穴部を軸抱込部８がスライド挿入するための挿入用穴部７Ａとしている。
【００４０】
また、前記挿入用穴部７Ａの内側面に、前記軸通し穴７の穴長さ方向に沿った長さを有する凹溝を一条形成して、この凹溝を前記取付用溝部10としている。即ち、本実施例では、前記軸通し穴７の挿入用穴部７Ａに取付用溝部10を設けた場合を示している。
【００４１】
また、前記軸抱込部８は、図６に示すように、帯状の金属板材を断面Ｃ状にカール折曲することで、前記枢着軸５の周面に抱き込み被嵌し面接して回動（摩擦）抵抗を付与し得るように構成し、更に、この断面Ｃ状の軸抱込部８を構成する板材の一端部を外方へ折曲突出させて、この突出板部を前記取付部９としている。
【００４２】
また、この軸抱込部８は、そのＣ状部分の径寸法を前記軸通し穴７の挿入用穴部７Ａの穴径寸法より径小となる形状に形成すると共に、取付部９（軸抱込部８を構成する板材）の板厚寸法を前記取付用溝部10の溝幅寸法より幅狭となる寸法に設定して、挿入用穴部７Ａに対しこの軸抱込部８が隙間を介在して挿入配設し得るように構成している。
【００４３】
本実施例では、この挿入用穴部７Ａの、この挿入用穴部７Ａにスライド挿入した前記軸抱込部８のスライド方向の両側位置に、この軸抱込部８が抱き込み被嵌した前記枢着軸５を回動自在に軸支する軸受部11を設けて、この両側の軸受部11で外装ケース部６に挿通した枢着軸５を回動自在に軸支する構成としている。
【００４４】
具体的には、前記外装ケース部６の軸通し穴７の挿入用穴部７Ａの一側端部に、この挿入用穴部７Ａにスライド挿入する軸抱込部８のＣ状部分より径小であって、且つ前記枢着軸５の径寸法と略同径寸法の軸受孔11Ａを貫通形成してこの軸受孔11Ａを前記軸受部11としている。即ち、本実施例の挿入用穴部７Ａには、その他側端部から前記軸抱込部８をスライド挿入することができ、挿入した軸抱込部８は、挿入用穴部７Ａの一側端部からは挿脱不能状態となる構成としている。
【００４５】
また、この軸抱込部８が挿入された挿入用穴部７Ａの他側端部に、この他側端部を閉塞するようにして軸受部材12を止着することにより、この挿入用穴部７Ａにスライド挿入した軸抱込部８を挿脱不能状態に保持する構成とすると共に、この軸受部材12には、挿入用穴部７Ａ（軸抱込部８のＣ状部分）より径小であって、且つ前記枢着軸５の径寸法と略同径寸法（前記軸受孔11Ａと同径寸法）の軸受孔11Ｂを貫通形成してこの軸受孔11Ｂを前記軸受部11としている。
【００４６】
従って、本実施例では、挿入用穴部７Ａの一側端部に設けた軸受孔11Ａと、この軸受孔11Ａから間隔を置いて他側端部に設けた軸受孔11Ｂとの二箇所の軸受部11により、外装ケース部６に挿通した枢着軸５を安定的に軸支する構成としている。
【００４７】
また、前記軸受部材12は、軸抱込部８の断面形状と略同形状に形成している。更に詳しくは、軸受部材12は、金属板で構成すると共に、図６に示すように前記挿入用穴部７Ａの丸穴部分の形状に略合致する円板状部から、前記取付用溝部10に嵌入する棒状板状の嵌入部13が一体に突設する形状に形成している。即ち、この軸受部材12は、同時に嵌入部13を取付用溝部10に嵌入することにより、挿入用穴部７Ａの他側端部に回り止め状態で嵌入し得るように構成している。そして、この軸受部材12の円板状部に、この円板状部と同心円状に前記軸受孔11Ｂを貫通形成している。
【００４８】
この軸受部材12の挿入用穴部７Ａへの止着構造は、図９，図１０に示すように、取付用溝部10に嵌入した嵌入部13に対して、挿入用穴部７Ａの他側端部で嵌入部13の両側に隣接している取付用溝部10周囲部分を圧潰することにより、嵌入部13の外側に圧潰による延設カシメ片19が突出して軸受部材12が外装ケース部６（の挿入用穴部７Ａの他側端部）にカシメ止めされる構造としている。従って、他の止着部品などを要することなく、コスト安に軸受部材12を止着可能であると共に、このカシメ止めは、挿入用穴部７Ａの他側端部に回り止め状態（位置決め状態）で嵌入された軸受部材12に対して行えるので、作業性にも優れる。
【００４９】
また、図面では、挿入用穴部７Ａに軸抱込部８を二個並設状態に配設した場合を示しており、挿入用穴部７Ａに二個の軸抱込部８を隙間なく並べて配設すると、挿入用穴部７Ａの他側端部に、軸受部材12の板厚幅よりやや幅広なスペースが生じるように挿入用穴部７Ａの穴長さ寸法並びに軸抱込部８の幅寸法を設定構成し、このスペースに嵌入した軸受部材12に対して前記カシメ止めを行っている（図４参照。）。
【００５０】
また、並設する二個の軸抱込部８は、前記枢着軸５に対する抱き込み方向が夫々反対となるようにして配設している。この構成により、単に十分な回動抵抗が容易に得られるだけでなく、どちらの方向に回動する場合も、回動抵抗に差を生じにくく、略等しい回動抵抗が生じることになる。即ち、本実施例で示したような断面Ｃ状の軸抱込部８は、抱き込むカール方向、即ち巻き締める方向にこの軸抱込部８を枢着軸５に対して相対的に回動する場合と反対方向即ち巻き緩む方向に相対的に回動する場合とで回動抵抗は等しくないのであるが、本実施例では、二個の軸抱込部８を用いると共に、夫々の枢着軸５に対する抱き込み方向が夫々反対となるようにして配置固定したことで、どちらの方向に回動する場合も、回動抵抗に差を生じにくくしている。
【００５１】
また、本実施例では、前記軸抱込部８の取付部９に、前記取付用溝部10の溝側壁面に対して近接するガタ止め突起14を形成し、この取付部９を取付用溝部10に嵌入した際に、この嵌入作業を阻害しない程度にガタ止め突起14が取付用溝部10との隙間を可及的に埋めることにより軸抱込部８を挿入用穴部７Ａ内でガタつきにくくしている（図８参照。）。
【００５２】
具体的には、図６，図７に示すように、取付部９の一側板面の一部を、プレスなどにより他側板面の方向に押圧して凹ませることで他側板面の一部を外方へ突出させて、この突出部を前記ガタ止め突起14としている。このような構成のガタ止め突起14は、簡易に設計実現可能である。
【００５３】
本実施例では上述ように構成したから、二箇所の軸受部11（挿入用穴部７Ａ一側端部の軸受孔11Ａと他側端部の軸受孔11Ｂ）で軸支された枢着軸５は、外装ケース部６（軸通し穴７）に対してガタつくことなく安定的に回動動作可能であり、よって第一部材１に対して第二部材２が安定的に回動動作することになる。
【００５４】
また、この際、枢着軸５に抱き込み被嵌する軸抱込部８が、枢着軸５に常に回動抵抗を付与するフリーストップ構造を実現しているが、枢着軸５がガタつかずに安定的に回動動作することで、この枢着軸５に抱き込み被嵌する軸抱込部８も軸通し穴７でガタつかず、更にガタ止め突起14によっても軸抱込部８のガタつきが防止されるので、この軸抱込部８による枢着軸５への回動抵抗が安定して確実に付与されて、極めて良好なフリーストップ作動が得られることになる。
【００５５】
尚、本発明は、本実施例に限られるものではなく、各構成要件の具体的構成は適宜設計し得るものである。
【符号の説明】
【００５６】
１  第一部材（操作部）
２  第二部材（開閉部）
３  第一連結部
４  第二連結部
５  枢着軸
６  外装ケース部
７  軸通し穴
７Ａ  挿入用穴部
８  軸抱込部
９  取付部
10  取付用溝部
11  軸受部
11Ａ  軸受孔
11Ｂ  軸受孔
12  軸受部材
13  嵌入部
14  ガタ止め突起
15  操作部
16  ディスプレイ部
Ｈ  ヒンジ装置
【図１】
2011058607.tif 000003
【図２】
2011058607.tif 000004
【図３】
2011058607.tif 000005
【図４】
2011058607.tif 000006
【図５】
2011058607.tif 000007
【図６】
2011058607.tif 000008
【図７】
2011058607.tif 000009
【図８】
2011058607.tif 000010
【図９】
2011058607.tif 000011
【図１０】
2011058607.tif 000012